(57)【特許請求の範囲】
【請求項１】
金属板からなり、側壁から下方に突出する取付脚を有するシールドケースを備え、前記取付脚は、前記側壁に繋がった首部と、前記首部の端部に設けられ、捻り止めするための広幅の頭部とを有し、前記側壁には、前記首部の近傍に置いて横方向に延びる横リブを設けたことを特徴とする電子機器のシールドケース。
【請求項２】
前記首部には、前記横リブに直交する方向に延びる縦リブを設けたことを特徴とする請求項１記載の電子機器のシールドケース。
【発明の詳細な説明】
【０００１】
【発明の属する技術分野】
本発明は、携帯電話機の送受信ユニット等の電子機器に使用されるシールドケースに関する。
【０００２】
【従来の技術】
従来の電子機器のシールドケースを図５，図６に基づいて説明すると、箱形を有するシールドケース２１は、金属板を打ち抜き、折り曲げされて形成され、上壁２２と、この上壁２２の四方から折り曲げ形成された側壁２３と、側壁２３から下方に突出形成された複数個の取付脚２４とを有する。
【０００３】
この取付脚２４は、全体がＴ型をなし、側壁２３に繋がって下方に突出する首部２４ａと、首部２４ａの端部に設けられ、捻り止めするための広幅の頭部２４ｂとを有する。
そして、上壁２２と側壁２３とで構成される箱形部内には、例えば、携帯電話機の送受信回路部が収納されて、シールドケース２１によってシールドされた構成となっている。
【０００４】
導電パターン（図示せず）が形成されたプリント基板２５は、複数個の矩形状の孔２６が形成されている。
また、このプリント基板２５上には、取付脚２４の頭部２４ｂを孔２６に挿通した状態で、シールドケース２１を載置する。
そして、孔２６から抜き出た頭部２４ｂを約９０度捻って、頭部２４ｂをプリント基板２５の裏面に掛け止めして、シールドケース２１がプリント基板２５に取り付けられる。
しかる後、シールドケース２１内の送受信回路部をプリント基板２５の導電パターンに、半田付けにより接続するようになっている。
【０００５】
また、従来のシールドケース２１は、取付脚２４の頭部２４ｂを捻った際、図６に示すように、頭部２４ｂの捻りに伴い首部２４ａの捻られ、その結果、首部２４ａの捻りに伴って、首部２４ａの根本部分の側壁２３の肉部が点線位置Ｐ１から実線位置Ｐ２に変位する。
このため、首部２４ａの側壁２３との繋ぎ部分の根本部分が大きく変位し、この首部２４ａの大きな変位によって、孔２６の角部において、かじり等の破損が生じるものである。
【０００６】
【発明が解決しようとする課題】
従来の電子機器のシールドケースは、取付脚２４の頭部２４ｂを捻った際、首部２４ａに繋がれた側壁２３の肉部が点線位置Ｐ１から実線位置Ｐ２に大きく変位し、この首部２４ａの大きな変位によって、孔２６の角部において、かじり等の破損が生じるという問題がある。
【０００７】
【課題を解決するための手段】
上記課題を解決するための第１の解決手段として、金属板からなり、側壁から下方に突出する取付脚を有するシールドケースを備え、前記取付脚は、前記側壁に繋がった首部と、前記首部の端部に設けられ、捻り止めするための広幅の頭部とを有し、前記側壁には、前記首部の近傍に置いて横方向に延びる横リブを設けた構成とした。
また、第２の解決手段として、前記首部には、前記横リブに直交する方向に延びる縦リブを設けた構成とした。
【０００８】
【発明の実施の形態】
本発明の電子機器のシールドケースを図１〜図４に基づいて説明すると、図１は本発明の電子機器のシールドケースの斜視図、図２は本発明の電子機器のシールドケースの要部を示す断面図、図３は図１の３−３線における断面図、図４は図１の４−４線における断面図である。
【０００９】
次に、本発明の電子機器のシールドケースを図１〜図４に基づいて説明すると、箱形を有するシールドケース１は、金属板を打ち抜き、折り曲げされて形成され、上壁２と、この上壁２の四方から折り曲げ形成され、下部が開放された側壁３と、少なくとも互いに対向する側壁３から下方に突出形成された複数個の取付脚４とを有する。
【００１０】
この取付脚４は、全体がＴ型をなし、側壁３に繋がって下方に突出する首部４ａと、首部４ａの端部に設けられ、捻り止めするための広幅の頭部４ｂとを有する。
また、側壁３には、この取付脚４の首部４ａの近傍に置いて、首部４ａの幅より大きな長さで横方向に延びる横リブ５が形成されている。
この横リブ５は、図３に示すように、側壁３に突き出し加工を行って形成されている。
【００１１】
また、取付脚４の首部４ａと頭部４ｂの中心部には、横リブ５に直交する方向に延びる縦リブ６が形成されている。
この縦リブ６は、図４に示すように、取付脚４に突き出し加工を行って形成されると共に、この縦リブ６は、横リブ５に繋がった状態で形成しても良い。
そして、上壁２と側壁３とで構成される箱形部内には、例えば、携帯電話機の送受信回路部が収納されて、シールドケース１によってシールドされた構成となっている。
【００１２】
導電パターン（図示せず）が形成されたプリント基板７は、複数個の矩形状の孔８が形成されている。
また、このプリント基板７上には、取付脚４の頭部４ｂを孔８に挿通した状態で、シールドケース１を載置する。
そして、孔８から抜き出た頭部４ｂを約９０度捻って、図２に示すように、頭部４ｂをプリント基板７の裏面に掛け止めして、シールドケース１がプリント基板７に取り付けられる。
しかる後、シールドケース１内の送受信回路部をプリント基板７の導電パターンに、半田付けにより接続するようになっている。
【００１３】
また、本発明のシールドケース１は、取付脚４の頭部４ｂを捻った際、頭部４ｂの捻りに伴い首部４ａの捻られるが、首部４ａの近傍の側壁３に設けられた横リブ５によって、首部４ａの捻りによる側壁３の変位が抑えられ、その結果、首部４ａの捻りに伴う側壁３の肉部の変位が少なく、このため、孔８の角部におけるかじり等の破損が少ない。
【００１４】
また、取付脚４の頭部４ｂを捻った際、縦リブ６の存在によって、縦リブ６を中支点として首部４ａ、及び頭部４ｂが左右均等に捻られ、このため、捻り状態を均一にできると共に、確実な捻り止めを行うことができる。
【００１５】
【発明の効果】
本発明の電子機器のシールドケースは、金属板からなり、側壁３から下方に突出する取付脚４を有するシールドケース１を備え、取付脚４は、側壁３に繋がった首部４ａと、首部４ａの端部に設けられ、捻り止めするための広幅の頭部４ｂとを有し、側壁３には、首部４ａの近傍に置いて横方向に延びる横リブ５を設けたため、取付脚４の頭部４ｂを捻った際、首部４ａの近傍の側壁３に設けられた横リブ５によって、首部４ａの捻りによる側壁３の変位が抑えられ、その結果、首部４ａの捻りに伴う側壁３の肉部の変位が少なく、このため、孔８の角部におけるかじり等の破損が少ない電子機器のシールドケースを提供できる。
【００１６】
また、首部４ａには、横リブ５に直交する方向に延びる縦リブ６を設けたため、取付脚４の頭部４ｂを捻った際、縦リブ６の存在によって、縦リブ６を中支点として首部４ａが左右均等に捻られ、このため、捻り状態を均一にできると共に、確実な捻り止めを行うことができる電子機器のシールドケースを提供できる。
【図面の簡単な説明】
【図１】本発明の電子機器のシールドケースの斜視図。
【図２】本発明の電子機器のシールドケースの要部を示す断面図。
【図３】図１の３−３線における断面図。
【図４】図１の４−４線における断面図。
【図５】従来の電子機器のシールドケースの斜視図。
【図６】従来の電子機器のシールドケースの要部を示す斜視図。
【符号の説明】
１  シールドケース
２  上壁
３  側壁
４  取付脚
４ａ  首部
４ｂ  頭部
５  横リブ
６  縦リブ
７  プリント基板
８  孔
【図１】
0003771395.tif 000002
【図２】
0003771395.tif 000003
【図３】
0003771395.tif 000004
【図４】
0003771395.tif 000005
【図５】
0003771395.tif 000006
【図６】
0003771395.tif 000007